(57)【要約】【課題】ＶｏＩＰ電話システムにおいて、一斉音声呼び出しの付加機能を実現できる。【解決手段】呼に関する制御系メッセージを授受する主装置１２Ａとは別個に音声データの伝送路を形成するための音声データ伝送中継手段１５Ａを設ける。主装置は、一斉音声呼び出し発信要求があったときに、音声データ伝送中継手段に、発信要求側における音声データの送受のためのアドレス情報を伝えると共に、発信要求側に対して、音声データ伝送中継手段における音声データの授受のためのアドレス情報を伝える。主装置は、音声データ伝送中継手段が送出するマルチキャストパケットの送信先アドレス情報を、呼出番号により指定されるグループ内の複数個の電話端末に伝える。音声データ伝送中継手段は、発信要求側からのユニキャストパケットの音声データは、前記送信先アドレス情報を含むマルチキャストパケットに変換してグループ内のすべての端末に対して転送する。【選択図】        図１２
2004320290.tif 000002
【特許請求の範囲】
【請求項１】
ＩＰ（Ｉｎｔｅｒｎｅｔ  ｐｒｏｔｏｃｏｌ）ネットワークからなるローカルエリアネットワークに接続される複数個のＶｏＩＰ（Ｖｏｉｃｅ  ｏｖｅｒ  Ｉｎｔｅｒｎｅｔ  Ｐｒｏｔｏｃｏｌ）電話端末と、
前記ローカルエリアネットワークに接続され、呼に関連する制御系メッセージを授受し、前記ＶｏＩＰ用電話端末間の通信を制御するための主装置手段と、
前記ローカルエリアネットワークに接続され、前記ＶｏＩＰ用電話端末間における音声データの授受を中継するための音声データ伝送中継手段と、
を備え、前記ＶｏＩＰ用電話端末の複数個からなる１または複数のグループの情報が、各グループに付与された呼出番号と対応付けられて、前記主装置手段に記憶され、前記グループの呼出番号を伴う一斉音声呼び出し発信要求に基づいて、前記呼出番号により指定されるグループ内の複数個の前記ＶｏＩＰ用電話端末に同一内容の音声情報を共通に提供する機能を備えるＶｏＩＰ電話システムであって、
前記主装置手段は、
前記一斉音声呼び出し発信要求があったときに、
前記音声データ伝送中継手段に対して、前記発信要求があったことと、前記発信要求側における前記音声データの送受のためのアドレス情報を伝える手段と、
前記発信要求側に対して、前記音声データ伝送中継手段から取得した前記発信要求側用の当該音声データ伝送中継手段における前記音声データの授受のためのアドレス情報を伝える手段と、
前記呼出番号により指定されるグループに含まれるＶｏＩＰ用電話端末のすべてに、前記音声データ伝送中継手段から取得した、当該音声データ伝送中継装置から前記ＶｏＩＰ用電話端末にマルチキャストパケットにより音声データを送信するときの送信先アドレス情報を含む前記一斉音声呼び出し開始要求を、マルチキャストパケットにより伝える手段と
を備え、
前記音声データ伝送中継手段は、
前記主装置手段から、前記一斉音声呼び出し発信要求があったことと、前記発信要求側における前記音声データの送受のためのアドレス情報を受信したときに、
前記発信要求側用の当該音声データ伝送中継手段における前記音声データの授受のためのアドレス情報と、当該音声データ伝送中継装置が送信するときの送信先アドレス情報とを前記主装置手段に伝える手段と、
前記一斉音声呼び出し発信要求をした前記発信要求側からのユニキャストパケットの音声データを受信したときには、当該受信した音声データを、前記送信先アドレス情報を含むマルチキャストパケットに変換して前記グループ内のすべての端末に対して転送する
ことを特徴とするＶｏＩＰ電話システム。
【請求項２】
請求項１に記載のＶｏＩＰ電話システムにおいて、
前記一斉音声呼び出し発信が、呼び出し対象の前記グループとして、ルーターを介して通信される他のＶｏＩＰ電話システムに含まれるグループを含むときには、
前記主装置手段は、
当該主装置手段が含まれる自ＶｏＩＰ電話システムの前記音声データ伝送中継手段に対して、呼び出し対象の前記グループとして前記他のＶｏＩＰ電話システムに含まれるグループを含む旨を、前記発信要求側における前記音声データの送受のためのアドレス情報と共に伝えると共に、前記音声データ伝送中継手段から、前記他のＶｏＩＰ電話システム用の前記音声データ伝送中継手段における音声データの授受のためのアドレス情報を取得し、当該取得した前記他のＶｏＩＰ電話システム用の前記音声データ伝送中継手段における音声データの授受のためのアドレス情報を伴って、前記他のＶｏＩＰ電話システムの主装置手段に対して、前記一斉音声呼び出し発信要求を転送し、
前記他のＶｏＩＰ電話システムの音声データ伝送中継手段の音声データの授受のためのアドレス情報を前記他のＶｏＩＰ電話システムの前記主装置手段から受信して、当該受信した前記他のＶｏＩＰ電話システムの音声データ伝送中継手段の音声データの授受のためのアドレス情報を、自ＶｏＩＰ電話システム内の前記音声データ伝送中継手段に通知し、
さらに、前記他のＶｏＩＰ電話システムの主装置手段に対して、前記一斉音声呼び出し開始要求をユニキャストパケットにより転送し、
前記自ＶｏＩＰ電話システム内の音声データ伝送中継手段は、
前記一斉音声呼び出し発信要求をした前記発信要求側からのユニキャストパケットの音声データを受信したときに、前記指定された前記自ＶｏＩＰ電話システム内の前記ＶｏＩＰ用電話端末に対しては、前記受信した音声データを前記マルチキャストパケットで転送すると共に、前記他のＶｏＩＰ電話システムの前記音声データ伝送中継手段にはユニキャストパケットで送るようにした
ことを特徴とするＶｏＩＰ電話システム。
【請求項３】
ＩＰネットワークからなるローカルエリアネットワークに接続される複数個のＶｏＩＰ用電話端末と、
前記ローカルエリアネットワークに接続され、前記ＶｏＩＰ用電話端末と相手端末との間における通信を制御するための主装置と、
を備え、前記ＶｏＩＰ用電話端末の複数個からなる１または複数のグループの情報が、各グループに付与された呼出番号と対応付けられて、前記主装置に記憶され、前記グループの呼出番号を伴う一斉音声呼び出し発信要求に基づいて、前記呼出番号により指定されるグループ内の複数個の前記ＶｏＩＰ用電話端末に同一内容の音声情報を共通に提供する機能を備えるＶｏＩＰ電話システムであって、
前記主装置は、
呼に関連する制御系メッセージを授受する通信制御手段と、
前記ＶｏＩＰ用電話端末と、前記相手端末との間における音声データの伝送路を形成するための音声データ伝送路制御手段と、
を備え、
前記通信制御手段は、
前記一斉音声呼び出し発信要求があったときに、
前記音声データ伝送中継手段に対して、前記発信要求があったことと、前記発信要求側における前記音声データの送受のためのアドレス情報を伝える手段と、
前記発信要求側に対して、前記音声データ伝送中継手段から取得した当該発信要求側用の前記音声データ伝送中継手段における前記音声データの授受のためのアドレス情報を伝える手段と、
前記呼出番号により指定されるグループに含まれるＶｏＩＰ用電話端末のすべてに、前記音声データ伝送中継手段から取得した、当該音声データ伝送中継装置から前記ＶｏＩＰ用電話端末にマルチキャストパケットにより音声データを送信するときの送信先アドレス情報を含む前記一斉音声呼び出し開始要求を、マルチキャストパケットにより伝える手段と
を備え、
前記音声データ伝送中継手段は、
前記通信制御手段から、前記一斉音声呼び出し発信要求があったことと、前記発信要求側における前記音声データの送受のためのアドレス情報を受信したときに、
前記発信要求側用の当該音声データ伝送中継手段における前記音声データの授受のためのアドレス情報と、当該音声データ伝送中継装置が送信するときの送信先アドレス情報とを前記通信制御手段に伝える手段と、
前記一斉音声呼び出し発信要求をした前記発信要求側からのユニキャストパケットの音声データを受信したときには、当該受信した音声データを、前記送信先アドレス情報を含むマルチキャストパケットに変換して前記グループ内のすべての端末に対して転送する
ことを特徴とするＶｏＩＰ電話システム。
【請求項４】
請求項３に記載のＶｏＩＰ電話システムにおいて、
前記一斉音声呼び出し発信が、呼び出し対象の前記グループとして、ルーターを介して通信される他のＶｏＩＰ電話システムに含まれるグループを含むときには、
前記通信制御手段は、
当該通信制御手段が含まれる自ＶｏＩＰ電話システムの前記音声データ伝送中継手段に対して、呼び出し対象の前記グループとして前記他のＶｏＩＰ電話システムに含まれるグループを含む旨を、前記発信要求側における前記音声データの送受のためのアドレス情報と共に伝えると共に、前記音声データ伝送中継手段から、前記他のＶｏＩＰ電話システム用の前記音声データ伝送中継手段における音声データの授受のためのアドレス情報を取得し、当該取得した前記他のＶｏＩＰ電話システム用の前記音声データ伝送中継手段における音声データの授受のためのアドレス情報を伴って、前記他のＶｏＩＰ電話システムの主装置手段に対して、前記一斉音声呼び出し発信要求を転送し、
前記他のＶｏＩＰ電話システムの音声データ伝送中継手段の音声データの授受のためのアドレス情報を前記他のＶｏＩＰ電話システムの前記主装置手段から受信して、当該受信した前記他のＶｏＩＰ電話システムの音声データ伝送中継手段の音声データの授受のためのアドレス情報を、前記自ＶｏＩＰ電話システム内の前記音声データ伝送中継手段に通知し、
さらに、前記他のＶｏＩＰ電話システムの主装置手段に対して、前記一斉音声呼び出し開始要求をユニキャストパケットにより転送し、
前記自ＶｏＩＰ電話システム内の音声データ伝送中継手段は、
前記一斉音声呼び出し発信要求をした前記発信要求側からのユニキャストパケットの音声データを受信したときに、前記指定された前記自ＶｏＩＰ電話システム内の前記ＶｏＩＰ用電話端末に対しては、前記受信した音声データを前記マルチキャストパケットで転送すると共に、前記他のＶｏＩＰ電話システムの前記音声データ伝送中継手段にはユニキャストパケットで送るようにした
ことを特徴とするＶｏＩＰ電話システム。
【請求項５】
ＩＰネットワークを通じて、呼に関する制御系メッセージを授受し、前記ＩＰネットワークに接続されるＶｏＩＰ用電話端末間の通信を制御するための通信制御手段とは別個に、前記ＶｏＩＰ用電話端末間の音声データの中継をするための音声データ伝送中継手段を設けると共に、前記ＶｏＩＰ用電話端末の複数個からなる１または複数のグループの情報を、各グループに付与された呼出番号と対応付けて、前記通信制御手段に記憶し、前記グループの呼出番号を伴う一斉音声呼び出し発信要求に基づいて、前記呼出番号により指定されるグループ内の複数個の前記ＶｏＩＰ用電話端末に同一内容の音声情報を共通に提供するようにするＶｏＩＰ電話システムにおける通信制御方法であって、
前記一斉音声呼び出し発信要求があったときに、前記通信制御手段が、前記音声データ伝送中継手段に対して、前記発信要求があったことと、発信要求側における前記音声データの送受のためのアドレス情報を伝える第１の工程と、
前記第１の工程で送られてきた情報を受けた前記音声データ伝送中継手段が、前記発信要求側用の当該音声データ伝送中継手段における前記音声データの授受のためのアドレス情報と、当該音声データ伝送中継装置が送信するときの送信先アドレス情報とを前記通信制御手段に伝える第２の工程と、
前記第２の工程で送られてきた情報を受けた前記通信制御手段が、前記発信要求側に対して、前記音声データ伝送中継手段から取得した前記発信要求側用の当該音声データ伝送中継手段における前記音声データの授受のためのアドレス情報を伝える第３の工程と、
前記第２の工程で送られてきた情報を受けた前記通信制御手段が、前記呼出番号により指定されるグループに含まれるＶｏＩＰ用電話端末のすべてに、前記音声データ伝送中継手段から取得した、当該音声データ伝送中継装置から前記ＶｏＩＰ用電話端末にマルチキャストパケットにより音声データを送信するときの送信先アドレス情報を含む前記一斉音声呼び出し開始要求を、マルチキャストパケットにより伝える第４の工程と、
前記第２の工程を終了した後、前記音声データ伝送中継手段が、前記一斉音声呼び出し発信要求をした前記発信要求側からのユニキャストパケットの音声データを受信したときには、当該受信した音声データを、前記送信先アドレス情報を含むマルチキャストパケットに変換して前記グループ内のすべての端末に対して転送する第５の工程と、
を備えることを特徴とするＶｏＩＰ電話システムにおける通信制御方法。
【請求項６】
請求項５に記載のＶｏＩＰ電話システムにおける通信制御方法において、
前記通信制御手段は、
当該通信制御手段が含まれる自ＶｏＩＰ電話システムの前記音声データ伝送中継手段に対して、呼び出し対象の前記グループとして前記他のＶｏＩＰ電話システムに含まれるグループを含む旨を、前記発信要求側における前記音声データの送受のためのアドレス情報と共に伝える工程と、
前記音声データ伝送中継手段から、前記他のＶｏＩＰ電話システム用の前記音声データ伝送中継手段における音声データの授受のためのアドレス情報を取得し、当該取得した前記他のＶｏＩＰ電話システム用の前記音声データ伝送中継手段における音声データの授受のためのアドレス情報を伴って、前記他のＶｏＩＰ電話システムの主装置手段に対して、前記一斉音声呼び出し発信要求を転送する工程と、
前記他のＶｏＩＰ電話システムの音声データ伝送中継手段の音声データの授受のためのアドレス情報を前記他のＶｏＩＰ電話システムの前記主装置手段から受信して、当該受信した前記他のＶｏＩＰ電話システムの音声データ伝送中継手段の音声データの授受のためのアドレス情報を、前記自ＶｏＩＰ電話システム内の前記音声データ伝送中継手段に通知する工程と、
前記他のＶｏＩＰ電話システムの主装置手段に対して、前記一斉音声呼び出し開始要求をユニキャストパケットにより伝える工程と、
を備え、
前記自ＶｏＩＰ電話システム内の音声データ伝送中継手段は、
前記一斉音声呼び出し発信要求をした前記発信要求側からのユニキャストパケットの音声データを受信したときに、前記指定された前記自ＶｏＩＰ電話システム内の前記ＶｏＩＰ用電話端末に対しては、前記受信した音声データを前記マルチキャストパケットで転送すると共に、前記他のＶｏＩＰ電話システムの前記音声データ伝送中継手段にはユニキャストパケットで送るようにする工程を備える
ことを特徴とするＶｏＩＰ電話システムにおける通信制御方法。
【発明の詳細な説明】
【０００１】
【発明の属する技術分野】
この発明は、ＶｏＩＰ（Ｖｏｉｃｅ  ｏｖｅｒ  Ｉｎｔｅｒｎｅｔ  Ｐｒｏｔｏｃｏｌ）電話システムおよびＶｏＩＰ電話システムにおける通信制御方法に関する。
【０００２】
【従来の技術】
インターネットやイントラネットのようなＩＰ（Ｉｎｔｅｒｎｅｔ  Ｐｒｏｔｏｃｏｌ）ネットワークを利用して音声信号を送る技術であるＶｏＩＰを用いて中継交換を行ない、電話通信サービスを行なうようにするＩＰ電話が提供されている。
【０００３】
このＩＰ電話においては、発信側と受信側とはそれぞれに割り当てられたＩＰアドレスを用いて、電話音声をＩＰパケットにより伝送することにより、通話が可能となるものであり、安価な通話料で通話が可能となるため、普及が拡大している。
【０００４】
そして、例えば特許文献１（特開２０００−３２０５７号公報）や特許文献２（特開２００１−２８５３５８号公報）などに記載されているように、このＩＰ電話においても、従来からの電話と同様に、話中に着信があった場合に、予め設定された転送先に転送する機能などをＩＰ電話機に設けることが提案されている。
【０００５】
【特許文献１】
特開２０００−３２０５７号公報。
【０００６】
【特許文献２】
特開２００１−２８５３５８号公報。
【０００７】
【発明が解決しようとする課題】
ところで、上述のＩＰ電話サービスを用いた電話通信においても、例えば企業向けのボタン電話システムと同様のサービスを提供できるＶｏＩＰ電話システムが考えられている。図２０は、このＶｏＩＰ電話システムを用いた通信網の概要を説明するための図である。
【０００８】
図２０において、１Ａおよび１Ｂは、それぞれＶｏＩＰ電話システムを示すもので、それぞれ一つのＬＡＮ（Ｌｏｃａｌ  Ａｒｅａ  Ｎｅｔｗｏｒｋ）を形成している。そして、各ＶｏＩＰ電話システム１Ａ，１Ｂは、例えばインターネットなどのＩＰネットワーク２を通じて接続される。この場合、例えば、ＶｏＩＰ電話システム１Ａは東京本社用のシステムとし、ＶｏＩＰ電話システム１Ｂは大阪支社用のシステムとすることができる。
【０００９】
ＶｏＩＰ電話システム１Ａ，１Ｂのそれぞれは、ケーブルや無線による接続方式で構成されるＬＡＮ１１ＡおよびＬＡＮ１１Ｂのそれぞれに対して、主装置１２Ａおよび１２Ｂと、複数のＶｏＩＰ用電話端末（以下、説明の簡単のため、単に電話端末という場合もある）１３Ａ１，１３Ａ２，・・・，１３Ａｎおよび複数の電話端末１３Ｂ１，１３Ｂ２，・・・，１３Ｂｍと、ルーター１４Ａおよび１４Ｂが接続されて構成されている。
【００１０】
ルーター１４Ａおよびルーター１４Ｂは、一つのＶｏＩＰ電話システムと、他のＶｏＩＰ電話システムとを、ＩＰネットワーク２を通じて接続するときに用いられる。
【００１１】
この例の場合、例えば、それぞれのＶｏＩＰ電話システム１Ａ，１Ｂに対しては、ＩＰネットワーク２内におけるシステム番号が付与されると共に、それぞれのＶｏＩＰ電話システム１Ａ，１Ｂ内の電話端末１３Ａ１〜１３ｎおよび１３Ｂ１〜１３Ｂｍに対しては、予め端末番号（例えば内線番号）が付与されており、主装置１２Ａ，１２Ｂは、他のＶｏＩＰ電話システムについての呼制御用のアドレスを前記システム番号に対応して記憶していると共に、それぞれのＶｏＩＰ電話システム１Ａ，１Ｂ内における電話端末の呼制御用のアドレスを、前記端末番号（内線番号）に対応して記憶している。
【００１２】
後述するように、呼制御のためのメッセージ、この例では、ＳＩＰ（Ｓｅｓｓｉｏｎ  Ｉｎｉｔｉａｔｉｏｎ  Ｐｒｏｔｏｃｏｌ）標準のメッセージが、主装置を介して、各ＶｏＩＰ電話システム１Ａ，１Ｂ内の電話端末間において、やり取りされることにより、各ＶｏＩＰ電話システム内の電話端末間において、音声通話路を形成することが可能となる。
【００１３】
ルーターを超えて、他のＶｏＩＰ電話システム内の電話端末との間で通信を行なう場合には、ルーターをそれぞれ介して、主装置間においても呼制御メッセージのやり取りが行なわれ、ルーターを介した音声通話路を形成することが可能になる。
【００１４】
図２１および図２２は、一つのＶｏＩＰ電話システム内の電話端末間での発信から通話までの処理を説明するための経路説明図およびシーケンス図である。この図２１および図２２の例は、ＶｏＩＰ電話システム１Ａにおける或る電話端末Ｘから、他の或る電話端末Ｙに対して発信した場合である。なお、図２１および図２２において、二重線の実線矢印は、音声データの伝送を示し、その他の一重線の実線矢印は、ＳＩＰ標準の呼制御メッセージの伝送を示している。
【００１５】
図２２のシーケンス図に示すように、発信端末である電話端末Ｘ（以下、発信端末Ｘという）が電話端末Ｙを着信端末（以下、着信端末Ｙという）として指定した発信（発信）を行なうと、その発信メッセージは、主装置１２Ａで受信される。この発信メッセージには、発信端末Ｘのメディア待ち受け用ＩＰアドレスとポート番号（メディア待ち受け用ＩＰアドレスとポート番号の情報は、メディア待ち受け用アドレス情報である）およびメディア種別（この場合には音声データであることを示す情報である。以下同様）の情報とが含まれている。これらのデータは、ＳＤＰ（Ｓｅｓｓｉｏｎ  Ｄｅｓｃｒｉｐｔｉｏｎ  Ｐｒｏｔｏｃｏｌ）に従ったものとされている。以下、同様である。
【００１６】
主装置１２Ａは、この発信メッセージを受信すると、着信端末Ｙに対して、この発信メッセージを転送する。着信端末Ｙは、使用中でなければ、発信要求受付メッセージを主装置１２Ａに返す。着信端末Ｙは、発信メッセージに含まれる情報により、発信端末Ｘのメディア待ち受け用ＩＰアドレスとポート番号およびメディア種別を認識する。そして、着信端末Ｙは、自分のメディア待ち受け用ＩＰアドレスとポート番号およびメディア種別の情報を含む応答メッセージを主装置１２Ａに返す。
【００１７】
主装置１２Ａは、この応答を受信すると、着信端末Ｙのメディア待ち受け用ＩＰアドレスとポート番号およびメディア種別の情報を含む応答メッセージを、発信端末Ｘに転送する。この応答メッセージを受信することにより、発信端末Ｘは、着信端末Ｙのメディア待ち受け用ＩＰアドレスとポート番号、メディア種別を認識する。
【００１８】
以上により、発信端末Ｘと、着信端末Ｙとは、それぞれ相手方のメディア待ち受け用ＩＰアドレスとポート番号を認識することになる。したがって、その後、発信端末Ｘと、着信端末Ｙとは、それら認識した相手方のメディア待ち受け用ＩＰアドレスとポート番号により、送信相手を特定した音声データパケットをＬＡＮ１１Ａを通じて直接的にやり取りすることにより、音声通話が可能となる。
【００１９】
また、異なるＶｏＩＰ電話システムに含まれる電話端末同士の通話は、ルーターを介することにより、ほぼ同様に行なわれる。図２３は、その場合の発信から通話までの処理を説明するための経路説明図である。この図２３の例は、ＶｏＩＰ電話システム１Ａの或る電話端末Ｘが発信端末であり、ＶｏＩＰ電話システム１Ｂの或る電話端末Ｚが着信端末である場合である。
【００２０】
なお、図２１、図２２と同様に、図２３においても、二重線の実線矢印は、音声データの伝送を示し、その他の一重線の実線矢印は、ＳＩＰ（ＳｅｓｓｉｏｎＩｎｉｔｉａｔｉｏｎ  Ｐｒｏｔｏｃｏｌ）標準のメッセージを示している。
【００２１】
この場合には、発信端末Ｘからの着信端末Ｚを指定した発信メッセージは、主装置１２Ａ−ルーター１４Ａ−ルーター１４Ｂ−主装置１２Ｂを介して着信端末Ｚに送られて、発信端末Ｘのメディア待ち受け用ＩＰアドレスとポート番号およびメディア種類の情報が、着信端末Ｚに認識される。
【００２２】
また、着信端末Ｚからの応答メッセージは、主装置１２Ｂ−ルーター１４Ｂ−ルーター１４Ａ−主装置１２Ａを介して発信端末Ｘに送られて、着信端末Ｚのメディア待ち受け用ＩＰアドレスとポート番号およびメディア種類の情報が、発信端末Ｘに認識される。
【００２３】
以上のようにして、発信端末Ｘと、着信端末Ｙあるいは着信端末Ｚとは、それぞれ相手方のメディア待ち受け用ＩＰアドレスとポート番号を認識し、それら認識した相手方のメディア待ち受け用ＩＰアドレスとポート番号により、送信相手を特定して、ルーター１４Ａおよび１４Ｂを通じて、音声データパケットをやり取りすることにより、音声通話が可能となる。
【００２４】
ところで、この種のＶｏＩＰ電話システムでは、ビジネスボタン電話機能として良く用いられる一斉音声呼び出し機能などの付加機能を備えることが、使い勝手の点で重要である。この一斉音声呼び出し機能は、一斉音声呼び出しの特番により指定されるグループを構成するＶｏＩＰ用電話端末のすべてに、共通の音声データを一斉に伝送するようにするものであり、同一内容の音声メッセージを複数の端末の使用者に一斉に伝えることができる。
【００２５】
従来のボタン電話システムの場合には、主装置が、制御メッセージを解析して、通話路を切り替え制御する構成であったので、一斉音声呼び出し機能は、主装置が集中的に管理することにより実現できた。しかしながら、ＶｏＩＰ電話システムの場合には、通話路は、主装置の管理下になく、前述したように、パケットヘッダに宛先アドレス情報（送信先アドレス情報）として含まれる、メディア待ち受け用ＩＰアドレスとポート番号により、電話端末間でパケットの送受がなされるようになっている。
【００２６】
このようにＶｏＩＰ電話システムにおいては、従来のボタン電話システムの主装置のように、制御メッセージを解析して通話路を切り替え制御する構成ではないため、ビジネスボタン電話機能として良く用いられる一斉音声呼び出し機能を実現する場合には、ＶｏＩＰ用電話端末自身にその機能を持たせるか、発信者が、一斉音声呼び出し対象のすべての電話端末に対して、順次に送るようにする必要がある。
【００２７】
しかしながら、すべてのＶｏＩＰ用電話端末に一斉音声呼び出し機能を設けるのでは、ＶｏＩＰ用電話端末が高価格となり、好ましくない。
【００２８】
この発明は、以上の点にかんがみ、ＶｏＩＰ用電話端末に一斉音声呼び出し機能を設けなくとも、上述のような問題点を回避できるＶｏＩＰシステムを提供することを目的とする。
【００２９】
【課題を解決するための手段】
上記の課題を解決するために、この発明においては、
ＩＰ（Ｉｎｔｅｒｎｅｔ  ｐｒｏｔｏｃｏｌ）ネットワークからなるローカルエリアネットワークに接続される複数個のＶｏＩＰ（Ｖｏｉｃｅ  ｏｖｅｒ  Ｉｎｔｅｒｎｅｔ  Ｐｒｏｔｏｃｏｌ）電話端末と、
前記ローカルエリアネットワークに接続され、呼に関連する制御系メッセージを授受し、前記ＶｏＩＰ用電話端末間の通信を制御するための主装置手段と、
前記ローカルエリアネットワークに接続され、前記ＶｏＩＰ用電話端末間における音声データの授受を中継するための音声データ伝送中継手段と、
を備え、前記ＶｏＩＰ用電話端末の複数個からなる１または複数のグループの情報が、各グループに付与された呼出番号と対応付けられて、前記主装置手段に記憶され、前記グループの呼出番号を伴う一斉音声呼び出し発信要求に基づいて、前記呼出番号により指定されるグループ内の複数個の前記ＶｏＩＰ用電話端末に同一内容の音声情報を共通に提供する機能を備えるＶｏＩＰ電話システムであって、
前記主装置手段は、
前記一斉音声呼び出し発信要求があったときに、
前記音声データ伝送中継手段に対して、前記発信要求があったことと、前記発信要求側における前記音声データの送受のためのアドレス情報を伝える手段と、
前記発信要求側に対して、前記音声データ伝送中継手段から取得した前記発信要求側用の当該音声データ伝送中継手段における前記音声データの授受のためのアドレス情報を伝える手段と、
前記呼出番号により指定されるグループに含まれるＶｏＩＰ用電話端末のすべてに、前記音声データ伝送中継手段から取得した、当該音声データ伝送中継装置から前記ＶｏＩＰ用電話端末にマルチキャストパケットにより音声データを送信するときの送信先アドレス情報を含む前記一斉音声呼び出し開始要求を、マルチキャストパケットにより伝える手段と
を備え、
前記音声データ伝送中継手段は、
前記主装置手段から、前記一斉音声呼び出し発信要求があったことと、前記発信要求側における前記音声データの送受のためのアドレス情報を受信したときに、
前記発信要求側用の当該音声データ伝送中継手段における前記音声データの授受のためのアドレス情報と、当該音声データ伝送中継装置が送信するときの送信先アドレス情報とを前記主装置手段に伝える手段と、
前記一斉音声呼び出し発信要求をした前記発信要求側からのユニキャストパケットの音声データを受信したときには、当該受信した音声データを、前記送信先アドレス情報を含むマルチキャストパケットに変換して前記グループ内のすべての端末に対して転送する
ことを特徴とするＶｏＩＰ電話システムを提供する。
【００３０】
【作用】
上述の構成のこの発明においては、音声データ伝送中継手段が主装置手段とは別個に設けられ、ＶｏＩＰ用電話端末同士で、直接に音声データパケットのやり取りをするのではなく、この音声データ伝送中継手段を介してやり取りすることにより、音声データの伝送がなされる。
【００３１】
したがって、主装置手段からの制御の下に、この音声データ伝送中継手段を用いることにより、一斉音声呼び出し機能が実現できる。
【００３２】
すなわち、あるＶｏＩＰ用電話端末から、一斉音声呼び出し発信要求があると、主装置手段は、記憶している一斉音声呼び出しのグループの情報から、その発信要求に含まれる呼出番号で指定されるグループに含まれるＶｏＩＰ用電話端末を認識する。
【００３３】
そして、一斉音声呼び出し発信要求を受けた主装置手段は、音声データ伝送中継手段に対して、前記発信要求があったことと、発信端末における前記音声データの送受のためのアドレス情報を伝える。
【００３４】
これを受けて、音声データ伝送中継手段は、主装置手段に、発信端末用の当該音声データ伝送中継手段における前記音声データの授受のためのアドレス情報と、当該音声データ伝送中継装置が送信するときの送信先アドレス情報とを主装置手段に伝える。これを受けた主装置手段は、発信端末用の当該音声データ伝送中継手段における前記音声データの授受のためのアドレス情報を発信端末に通知する。
【００３５】
これにより、発信端末は、一斉音声呼び出しの音声データの宛先アドレスとして、音声データ伝送中継手段のアドレス情報を認識する。
【００３６】
主装置手段は、また、音声データ伝送中継手段から受信した当該音声データ伝送中継装置が送信するときの送信先アドレス情報を伴って、呼出番号で指定されたグループの各ＶｏＩＰ用電話端末のすべての一斉音声呼び出し開始要求を送る。これを受けた各ＶｏＩＰ用電話端末は、マルチキャストパケットとして送られてくる一斉音声呼び出しの音声データの宛先アドレス（送信先アドレス）を知り、例えば、当該宛先アドレスのマルチキャストパケットを取り込んで、スピーカで再生する状態にする。
【００３７】
その後、発信端末から、ユニキャストパケットにより前記一斉音声呼び出しの音声データのパケットがＩＰネットワークを通じて音声データ伝送中継手段に送られてくると、音声データ伝送中継手段は、そのパケットを前記送信先アドレスのマルチキャストパケットに変換して、ＩＰネットワークに送出する。
【００３８】
すると、前記グループ内の各ＶｏＩＰ用電話端末では、当該マルチキャストパケットを受信して、例えばスピーカで再生する。以上により、一斉音声呼び出しの機能が実現される。
【００３９】
【発明の実施の形態】
以下、この発明によるＶｏＩＰシステムの実施の形態を、図を参照しながら説明する。
【００４０】
図１は、この発明によるＶｏＩＰ電話システムの実施形態を用いた通信網の概要を説明するための図である。この図１の実施形態は、前述した図２０の構成にこの発明を適用した場合である。図１に示すように、この実施形態においては、ハードウエア的には、ＶｏＩＰ電話システム１Ａ，１Ｂは、図２０の構成に加えて、ＬＡＮ１１Ａ，１１Ｂに対して音声データ伝送中継手段としてのメディアスイッチ１５Ａ、１５Ｂが接続されて構成される。
【００４１】
この実施形態においては、主装置１２Ａ，１２Ｂとメディアスイッチ１５Ａ，１５Ｂとの間では、制御メッセージは、ユニキャストパケットによるローカルなメッセージとしてやり取りを行なう。これにより、主装置１２Ａ，１２Ｂは、メディアスイッチ１５Ａ，１５Ｂに対して、発信側と着信側とにおける前記音声データの送受のためのアドレス情報としてのメディア待ち受け用アドレス情報（ＩＰアドレスおよびポート番号）を伝え、また、主装置１２Ａ，１２Ｂは、メディアスイッチ１５Ａ，１５Ｂから、当該メディアスイッチ１５Ａ，１５Ｂのそれぞれにおける音声データの伝送のためのアドレス情報としてのメディア待ち受け用アドレス情報（ＩＰアドレスおよびポート番号）を受け取る。
【００４２】
そして、主装置１２Ａ，１２Ｂは、発信側の電話端末と着信側の電話端末とに対して、取得したメディアスイッチ１５Ａ，１５Ｂにおける音声データの伝送のためのアドレス情報を伝える。主装置１２Ａ，１２Ｂと、電話端末との間の制御メッセージのやり取りは、この例では、前述と同様に、ＳＩＰ標準のメッセージとして行なわれる。
【００４３】
［ＶｏＩＰ用電話端末のハードウエア構成例］
この実施の形態のＶｏＩＰ電話システムにおけるＶｏＩＰ用電話端末１３Ａ１〜１３Ａｎおよび１３Ｂ１〜１３Ｂｍは、全く同一のハードウエア構成を備える。図２に、ＶｏＩＰ用電話端末１３Ａ１のハードウエア構成例を、その代表として示す。この実施の形態のＶｏＩＰ用電話端末は、図２に示すように、端末本体１００と、ハンドセットＨＳとからなる。ハンドセットＨＳは、図示を省略したが、送話器を構成するマイクロホンと、送話アンプと、受話器を構成するスピーカと、受話アンプとを備えている。
【００４４】
端末本体１００は、コンピュータにより構成されており、ＣＰＵ（Ｃｅｎｔｒａｌ  Ｐｒｏｃｅｓｓｉｎｇ  Ｕｎｉｔ）１１０に対して、システムバス１１１を介して、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、ディスプレイコントローラ１１４と、操作入力インターフェイス（図ではインターフェイスはＩ／Ｆと記載する。以下同じ）１１６と、ＬＡＮインターフェイス１１８と、パケット分解／生成部１１９と、音声データ入出力インターフェイス１２０とが接続されている。
【００４５】
ディスプレイコントローラ１１４には、ディスプレイ１１５が接続されており、このディスプレイ１１５の表示画面には、ＣＰＵ１１０の制御にしたがった表示が行われる。
【００４６】
また、操作入力インターフェイス１１６には、テンキー、カーソルキーやその他の操作キーを含む操作入力部１１７が接続されている。ＣＰＵ１１０は、操作入力インターフェイス１１６を介して操作入力部１１７を通じて使用者がいずれの入力キーを操作したかを認識し、その認識結果に基づいて、キー入力操作に応じた処理をＲＯＭ１１２のプログラムに従って実行する。
【００４７】
ＲＯＭ１１２には、ＶｏＩＰ用電話端末としての発信時や着信時の処理シーケンスを実行するプログラム、保留、転送の要求入力を受け付け、保留、転送時の処理を実行するためのプログラムなどが記憶されている。
【００４８】
ＲＡＭ１１３は、主としてＲＯＭ１１２のプログラムがＣＰＵ１１０によって実行される際にワークエリアとして使用される。
【００４９】
ＬＡＮインターフェイス１１８は、ＩＰネットワークを構成するＬＡＮ１１Ａを通じて送られてくるパケット化データを取り込み、また、ＬＡＮ１１Ａにパケット化データを送出するための機能を備える。
【００５０】
パケット分解／生成部１１９は、ＬＡＮインターフェイス１１８により取り込んだパケット化データを分解して、制御データや音声データを得る機能と、送信する制御データや音声データをパケット化して送出するパケット化データを生成する機能を有する。このパケット分解／生成部１１９は、パケット化データを分解したり、生成したりするためのバッファメモリを備える。
【００５１】
なお、このパケット分解／生成部１１９のパケット分解処理機能や生成処理機能は、ＣＰＵ１１０と、ＲＯＭ１１２とにより、ソフトウエアとして実現することもできる。
【００５２】
音声データ入出力インターフェイス１２０は、パケット分解されて得られた音声データをアナログ音声信号に変換してハンドセットＨＳに供給し、また、ハンドセットＨＳから入力されるアナログ音声信号をデジタル信号に変換して取り込む機能を備える。
【００５３】
［主装置のハードウエア構成例］
次に、この実施形態のシステムにおける主装置１２Ａ，１２Ｂのハードウエア構成例を説明する。主装置１２Ａと１２Ｂとは全く同一の構成であるので、図３に、主装置１２Ａの構成を代表として示す。
【００５４】
この実施形態の主装置は、例えばパーソナルコンピュータにより構成されるもので、図３に示すように、ＣＰＵ２１０に対して、システムバス２１１を介してＲＯＭ２１２と、ＲＡＭ２１３と、ＬＡＮインターフェイス２１４と、パケット処理部２１５と、プロトコル処理部２１６と、サービス処理部２１７と、メディア制御部２１８と、管理メモリ部２１９とが接続されている。
【００５５】
ＲＯＭ２１２には、呼に関連する制御のための処理シーケンスを実行するためのプログラムなどの主装置が実行する処理プログラムが記憶されている。ＲＡＭ２１３は、主としてＲＯＭ２１２のプログラムがＣＰＵ２１０によって実行される際にワークエリアとして使用される。
【００５６】
また、ＬＡＮインターフェイス２１４は、ＬＡＮ１１Ａを通じて送られてくるパケット化データを取り込み、また、ＬＡＮ１１Ａにパケット化データを送出するための機能を備える。
【００５７】
パケット処理部２１５は、ＬＡＮインターフェイス２１４により取り込んだパケット中の制御のためのメッセージデータを解読するために、受信したパケットを分解し、また、送信する制御のためのデータをパケット化する機能を有する。パケット処理部２１５は、パケット化データを分解／生成したり、パケットの送受信処理したりするために一時保存するためのバッファメモリを備える。
【００５８】
プロトコル処理部２１６は、授受するパケットのプロトコルを管理する。サービス処理部２１７は、一斉音声呼び出しなどのサービス処理をするために用いられる。メディア制御部２１８は、音声通話路の制御のための処理を行なう。プロトコル処理部２１６、サービス処理部２１７およびメディア処理部２１８は、ＲＯＭ２１２に記憶されるプログラムとしてソフトウエア的に構成される場合もある。
【００５９】
管理メモリ部２１９には、自ＶｏＩＰ電話システムに割り当てられたシステム番号や、他のＶｏＩＰ電話システムに割り当てられたシステム番号とＩＰアドレスとの対応関係、それぞれのＶｏＩＰ電話システム１Ａ，１Ｂ内におけるＶｏＩＰ用電話端末の呼制御用のアドレスを、前記端末番号（内線番号）に対応して記憶している。
【００６０】
また、管理メモリ部２１９には、一斉音声呼び出しが行なわれる単位となる複数個のＶｏＩＰ用電話端末からなるグループの情報が登録されて記憶されている。各グループにどのＶｏＩＰ用電話端末が含まれるかは、ユーザにより予め設定される。また、各グループには一斉音声呼び出しのための呼出番号が付与されていて、その呼出番号と共に、各グループの情報（グループに含まれる電話端末の情報など）が管理メモリ部２１９に記憶されている。そして、グループとしては、ルーター１４Ａを経由して通信が行なわれる他のＶｏＩＰ電話システムのグループも登録可能である。
【００６１】
なお、この実施形態においては、自ＶｏＩＰ電話システム内のグループであるか、他のＶｏＩＰ電話システム内のグループであるかは、一斉音声呼び出しの呼出番号により、識別可能とされている。また、この実施形態では、例えば、一斉音声呼び出し発信要求に複数個のグループの呼出番号を含めることにより、複数個のグループを呼び出すようにすることも可能とされている。
【００６２】
［メディアスイッチのハードウエア構成例］
次に、この実施形態のシステムにおけるメディアスイッチ１５Ａ，１５Ｂのハードウエア構成例を説明する。メディアスイッチ１５Ａと１５Ｂとは全く同一の構成であるので、図４に、メディアスイッチ１５Ａの構成を代表として示す。
【００６３】
この実施形態のメディアスイッチは、例えばパーソナルコンピュータにより構成されるもので、図４に示すように、ＣＰＵ３１０に対して、システムバス３１１を介してＲＯＭ３１２と、ＲＡＭ３１３と、ＬＡＮインターフェイス３１４と、パケット処理部３１５と、音声データパケットアドレス変換部３１６とが接続されている。
【００６４】
ＲＯＭ３１２には、音声通話路生成、一斉音声呼び出し機能のための処理シーケンスを実行するためのプログラムなどのメディアスイッチ１５Ａが実行する処理プログラムが記憶されている。ＲＡＭ３１３は、主としてＲＯＭ３１２のプログラムがＣＰＵ３１０によって実行される際にワークエリアとして使用される。
【００６５】
また、ＬＡＮインターフェイス３１４は、ＬＡＮ１１Ａを通じて送られてくるパケット化データを取り込み、また、ＬＡＮ１１Ａにパケット化データを送出するための機能を備える。
【００６６】
パケット処理部３１５は、ＬＡＮインターフェイス３１４により取り込んだパケット中の制御のためのメッセージデータを解読するために、受信したパケットを分解し、また、送信する制御のためのデータをパケット化する機能を有する。パケット処理部３１５は、パケット化データを分解／生成したり、パケットの送受信処理したりするために一時保存するためのバッファメモリを備える。
【００６７】
音声データパケットアドレス変換部３１６は、発信端末や着信端末のメディア待ち受け用ＩＰアドレスおよびポート番号や、その際に用いる自身のメディア待ち受け用ＩＰアドレスおよびポート番号を記憶保持して、それらのアドレス情報を用いて、パケットの相手先アドレスを変換する処理を行なう。すなわち、音声データパケットは、メディアスイッチ宛てに送られてくるので、メディアスイッチは、その受信したパケットの宛先アドレスを、最終的に到達すべき電話端末のメディア待ち受け用アドレスおよびポート番号に変換して、ＬＡＮ１１Ａに送り出すようにする。
【００６８】
［実施形態のＶｏＩＰ電話システムにおける通常の通話時の処理］
次に、以上のように構成されたＶｏＩＰ電話システムにおける通話時の処理を以下に説明する。先ず、一つのＶｏＩＰ電話システム内における通話時の処理動作を説明し、後で、ルーターを用いた他のＶｏＩＰ電話システムの電話端末との間における通話時の処理について説明する。
【００６９】
［１］一つのＶｏＩＰ電話システム内における通話時の処理動作
一つのＶｏＩＰ電話システム内における通話、保留、転送の処理シーケンス図を、図５に示す。また、その際の主装置１２Ａあるいは１２Ｂでの処理のフローチャートを図６に示す。また、その際のメディアスイッチ１５Ａあるいは１５Ｂでの処理のフローチャートを図７に示す。
【００７０】
図６のフローチャートの各処理ステップの動作は、主装置のＣＰＵ２１０がＲＯＭ２１２のプログラムに従って実行するものであり、また、図７のフローチャートの各処理ステップの動作は、メディアスイッチのＣＰＵ３１０がＲＯＭ３１２のプログラムに従って実行するものである。
【００７１】
以下に説明する例は、ＶｏＩＰ電話システム１Ａの電話端末Ｘが、当該ＶｏＩＰ電話システム１Ａ内の他の電話端末Ｙに対して発信を行なって、両者の間で通話を行なうようにした場合である。
【００７２】
なお、図５においても、二重線の実線矢印は、音声データの伝送を示し、その他の一重線の実線矢印は、ＳＩＰ標準の呼制御メッセージの伝送を示している。また、点線の矢印は、ユニキャストパケットによるローカルなメッセージの伝送を示している。
【００７３】
図５から判るように、主装置１２Ａとメディアスイッチ１５Ａとの間では、ユニキャストパケットによるローカルなメッセージとして制御のためのデータがやり取りされ、主装置１２Ａと電話端末Ｘ，Ｙ，Ｚとの間では、ＳＩＰ標準のメッセージにより、制御のためのデータがやり取りされるものである。
【００７４】
［メディアスイッチを用いた通話］
図５のシーケンス図、図６のフローチャート（主装置１２Ａの動作）および図７のフローチャート（メディアスイッチ１５Ａの動作）を参照して、この実施形態のＶｏＩＰ電話システム１Ａにおける通話路形成までの処理について説明する。
【００７５】
この場合、先ず、図５に示すように、発信端末Ｘからの着信端末Ｙへの発信メッセージは、主装置１２Ａに送られる。主装置１２Ａは、この発信メッセージを受け取ったことを判別すると（図６のステップＳ１０１）、発信メッセージに含まれる着番号を解析して、着信先を決定し（この場合には、電話端末Ｙを着信端末として決定する）、発信端末Ｘに発信要求受付メッセージを返す（ステップＳ１０２）。
【００７６】
また、発信メッセージを受け取った主装置１２Ａは、メディア情報設定取得要求をメディアスイッチ１５Ａに送る（ステップＳ１０３）。このメディア情報設定取得要求は、前述したように、ユニキャストパケットによるローカルなメッセージであり、これには、発信端末Ｘのメディア待ち受け用ＩＰアドレスとポート番号およびメディア種別の情報が含まれる。
【００７７】
メディアスイッチ１５Ａは、このメディア情報設定取得要求を受信したことを判別したときには（図７のステップＳ２０１）、前記発信端末Ｘのメディア待ち受け用ＩＰアドレスとポート番号およびメディア種別の情報を取得し、記憶する（ステップＳ２０２）。
【００７８】
メディア種別の情報は、この例では、音声データであることを示す情報となるので、メディアスイッチ１５Ａは、このメディア情報設定取得要求を受信することにより、発信端末Ｘの音声データの待ち受け用ＩＰアドレスとポート番号を知る。
【００７９】
次に、メディアスイッチ１５Ａは、メディア取得情報を主装置１２Ａに返す（ステップＳ２０３）。このメディア取得情報には、発信端末Ｘ用の当該メディアスイッチ１５Ａにおけるメディア待ち受け用ＩＰアドレスとポート番号と、相手端末（ここでは着信端末Ｙ）用の当該メディアスイッチ１５Ａにおけるメディア待ち受け用ＩＰアドレスとポート番号とを含む。
【００８０】
主装置１２Ａは、このメディアスイッチ１５Ａからのメディア取得情報を受信する（ステップＳ１０４）。次に、主装置１２Ａは、着信端末Ｙへ発信メッセージを送る（ステップＳ１０５）。このときの着信端末Ｙへの発信メッセージには、メディアスイッチ１５Ａから受信した着信端末Ｙ用の当該メディアスイッチ１５Ａにおけるメディア待ち受け用ＩＰアドレスとポート番号およびメディア種別の情報が含まれる。
【００８１】
したがって、着信端末Ｙは、この発信メッセージから、発信端末Ｘに対する音声データの宛先アドレスとして、自端末Ｙ用の当該メディアスイッチ１５Ａにおけるメディア待ち受け用ＩＰアドレスとポート番号を認識することができる。そして、着信端末Ｙは、発信要求を受け付けることができる状態であれば、発信要求受付メッセージを主装置１２Ａに返す。
【００８２】
主装置１２Ａは、着信端末Ｙからの発信要求受付を受信したかどうか判別し（ステップＳ１０６）、発信要求受付を受信しなかった場合には、発信要求受付失敗のシーケンスに移行する。ここでは、発信要求受付失敗のシーケンスについては記述を省略する。
【００８３】
ステップＳ１０６で、着信端末Ｙからの発信要求受付を受信したと判別したときには、着信端末Ｙからは、当該着信端末Ｙのメディア待ち受け用ＩＰアドレスとポート番号およびメディア種別の情報を含む応答メッセージが送られてくるので、主装置１２Ａは、それを受信する（ステップＳ１０７）。
【００８４】
そして、主装置１２Ａは、受信した着信端末Ｙのメディア待ち受け用ＩＰアドレスとポート番号およびメディア種別を含むメディア情報設定を、メディアスイッチ１５Ａに送る（ステップＳ１０８）。
【００８５】
メディアスイッチ１５Ａでは、主装置１２Ａからのメディア情報設定を受信したかどうかを監視し（図７のステップＳ２０４）、メディア情報設定を予め定めた所定時間受信しないと判別したときには（ステップＳ２０５）、発信要求が失敗に終わったと認識して、それまでの呼設定に関する情報をリセットし（ステップＳ２０６）、ステップＳ２０１に戻る。
【００８６】
また、メディアスイッチ１５Ａは、ステップＳ２０４で、メディア情報設定を受信したと判別したときには、相手端末としての前記着信端末Ｙのメディア待ち受け用ＩＰアドレスとポート番号およびメディア種別の情報を取得し、記憶する（ステップＳ２０７）。
【００８７】
メディア種別の情報は、この例では、音声データであることを示す情報であるので、メディアスイッチ１５Ａは、このメディア情報設定を受信することにより、着信端末Ｙの音声データの待ち受け用ＩＰアドレスとポート番号を知る。
【００８８】
前記メディア情報設定をメディアスイッチ１５Ａに送信した主装置１２Ａは、また、発信端末Ｘ用のメディアスイッチ１５Ａの待ち受け用ＩＰアドレスとポート番号およびメディア種別の情報を含む応答メッセージを発信端末Ｘに転送する（図６のステップＳ１０９）。
【００８９】
以上のようにして、主装置１２Ａからは、メディアスイッチ１５Ａには、発信端末Ｘおよび着信端末Ｙのメディア待ち受け用ＩＰアドレスおよびポート番号が通知されると共に、発信端末Ｘおよび着信端末Ｙには、それぞれの端末用のメディアスイッチ１５Ａにおけるメディア待ち受け用ＩＰアドレスおよびポート番号が通知される。
【００９０】
発信端末Ｘおよび着信端末Ｙは、通話用の音声データパケットを、それぞれの端末用のメディアスイッチにおけるメディア待ち受け用ＩＰアドレスおよびポート番号を宛先として送信する。このことにより、両端末Ｘ，Ｙ間で音声通話がなされる。
【００９１】
このとき、メディアスイッチ１５Ａは、発信端末Ｘから受け取った音声データパケットの送信先アドレスは、音声データパケットアドレス変換部３１６において、着信端末Ｙのメディア待ち受け用ＩＰアドレスおよびポート番号に変換して、ＬＡＮ１１Ａに送出し、着信端末Ｙに向けて送信する（図７のステップＳ２０８）。
【００９２】
メディアスイッチ１５Ａは、また、着信端末Ｙから受け取った音声データパケットの送信先アドレスは、音声データパケットアドレス変換部３１６において、発信端末Ｘのメディア待ち受け用ＩＰアドレスおよびポート番号に変換して、ＬＡＮ１１Ａに送出し、発信端末Ｘに向けて送信する（ステップＳ２０８）。
【００９３】
そして、主装置１２Ａは、上述したような通話状態において、発信端末Ｘあるいは着信端末Ｙのいずれかから終話要求があったかどうか判別し（図６のステップＳ１１０）、終話要求があったときには、終話処理を行ない（ステップＳ１１１）、この処理ルーチンを終了する。
【００９４】
終話処理には、主装置１２Ａからメディアスイッチ１５Ａに対して終話による接続解除要求を送る処理が含まれる。メディアスイッチ１５Ａは、この接続解除要求を受信したと判別したときには（図７のステップＳ２０９）、メディアスイッチ１５Ａ内に記憶した音声データパケットアドレス変換のためのデータをリセットして（ステップＳ２１０）、処理ルーチンを終了する。
【００９５】
以上のようにして、この実施形態では、音声データは、発信端末Ｘと着信端末Ｙとで、直接にやり取りするのではなく、メディアスイッチ１５Ａを介してやり取りする。この場合の発信から接続までの流れを説明したものを図８に示す。この図８においても、一重線の実線矢印は、ＳＩＰ標準の呼制御のためのメッセージであり、点線で示したものは、ユニキャストパケットによるローカルなメッセージである。そして、音声データは、二重線の実線矢印で、その伝送路を示した。
【００９６】
［２］二つのＶｏＩＰ電話システム間における通話時の処理動作
上述の実施形態の説明は、同じ一つのＶｏＩＰ電話システム内の複数の電話端末についての通話についてであるが、ルーターを用いた他のＶｏＩＰ電話システム内の電話端末との間における通話については、次のようにして処理される。
【００９７】
以下に説明する例は、ＶｏＩＰ電話システム１Ａ内の発信端末Ｘが、ＶｏＩＰ電話システム１Ｂに含まれる端末Ｚを着信端末Ｙとして、発信要求処理した場合の例である。
【００９８】
図９および図１０は、この場合のシーケンスの要部を示すもので、図面サイズの都合上、２図に分けたものである。図９は、ＶｏＩＰ電話システム１Ａ側での処理シーケンスを示し、図１０は、ＶｏＩＰ電話システム１Ｂ側の処理シーケンスを示しており、図９と図１０とは、丸で囲んだ英記号Ａ，Ｂ，Ｃ，Ｄの部分で接続されるものである。
【００９９】
なお、この図９および図１０においても、一重線の実線矢印は、ＳＩＰ標準の呼制御のためのメッセージであり、点線で示したものは、ユニキャストパケットによるローカルなメッセージである。そして、音声データは、二重線の実線矢印で、その伝送路を示した。ここで、音声データは、ユニキャストパケットにより伝送される。
【０１００】
なお、このＶｏＩＰ電話システム間の通話時の処理の主要な部分は、ＶｏＩＰ電話システム内での通話時の処理シーケンスとほぼ同様であるので、主装置１２Ａ，１２Ｂおよびメディアスイッチ１５Ａ，１５Ｂが行なう処理のフローチャートは省略する。
【０１０１】
図９に示すように、この例においては、ＶｏＩＰ電話システム１Ａ内の発信端末Ｘは、ＶｏＩＰ電話システム１Ｂ内の電話端末Ｚを着信端末として指定した発信メッセージを主装置１２Ａに送る。この発信メッセージには、着番号の情報、発信端末Ｘのメディア待ち受け用アドレス情報（ＩＰアドレスとポート番号）およびメディア種別の情報が含まれる。
【０１０２】
主装置１２Ａは、この発信メッセージを受け取ると、それに含まれる着番号を解析して、着信先を決定する。そして、主装置１２Ａは、発信端末Ｘに対して発信受付メッセージを返す。
【０１０３】
また、主装置１２Ａは、メディアスイッチ１５Ａにメディア情報設定取得要求を送る。このメディア情報設定取得要求には、発信端末Ｘのメディア待ち受け用ＩＰアドレスとポート番号の情報が含まれる。
【０１０４】
メディアスイッチ１５Ａは、主装置１２Ａからのメディア情報設定取得要求を受信すると、それに含まれる発信端末Ｘのメディア待ち受け用ＩＰアドレスとポート番号の情報を取得して記憶する。そして、メディアスイッチ１５Ａは、メディア取得情報を主装置１２Ａに返す。
【０１０５】
このメディア取得情報には、発信端末Ｘ用のメディアスイッチ１５Ａのメディア待ち受け用ＩＰアドレスとポート番号の情報と、着信相手用のメディアスイッチ１５Ａのメディア待ち受け用ＩＰアドレスとポート番号の情報とが含まれる。着信相手は、ＶｏＩＰ電話システム１Ｂに含まれる電話端末Ｚであるので、この着信相手用のアドレス情報は、システム１Ｂ用のメディア待ち受け用アドレス情報として主装置１２Ａで認識されることになる。
【０１０６】
このメディア取得情報を受け取った主装置１２Ａは、電話端末Ｚを着信先とする発信メッセージを、ＶｏＩＰ電話システム１Ｂの主装置１５Ｂに宛てて、ルーター１４Ａおよび１４Ｂを通じて送る。この発信メッセージには、ＶｏＩＰ電話システム１Ｂ用のメディアスイッチ１５Ａのメディア待ち受け用アドレス情報（ＩＰアドレスとポート番号）およびメディア種別情報が含まれる。
【０１０７】
図１０に示すように、この端末Ｚへの発信メッセージを受け取った主装置１２Ｂは、当該ＶｏＩＰ電話システム１Ｂ内のメディアスイッチ１５Ｂに対してメディア情報設定取得要求を送る。このメディア情報設定取得要求には、メディアスイッチ１５Ａのメディア待ち受け用ＩＰアドレスとポート番号の情報が含まれる。
【０１０８】
メディアスイッチ１５Ｂは、このメディア情報設定取得要求を受信すると、それに含まれるメディアスイッチ１５Ａのメディア待ち受け用ＩＰアドレスとポート番号の情報を取得して記憶する。そして、メディアスイッチ１５Ｂは、メディア取得情報を主装置１２Ｂに返す。
【０１０９】
このメディア取得情報には、メディアスイッチ１５Ａ用のメディアスイッチ１５Ｂのメディア待ち受け用ＩＰアドレスとポート番号の情報と、着信相手用のメディアスイッチ１５Ｂのメディア待ち受け用ＩＰアドレスとポート番号の情報とが含まれる。着信相手は、電話端末Ｚであるので、この着信相手用のアドレス情報は、着信端末Ｚ用のメディア待ち受け用ＩＰアドレスとポート番号の情報として主装置１２Ｂで認識されることになる。
【０１１０】
このメディア取得情報を受け取った主装置１５Ｂは、着信端末Ｚに対して発信メッセージを転送する。この発信メッセージには、着信端末Ｚ用のメディアスイッチ１５Ｂのメディア待ち受け用ＩＰアドレスとポート番号の情報およびメディア種別情報が含まれる。
【０１１１】
したがって、着信端末Ｚは、この発信メッセージから、発信端末Ｘに対する音声データの宛先アドレスとして、当該メディアスイッチ１５Ｂにおけるメディア待ち受け用ＩＰアドレスとポート番号を認識することができる。そして、着信端末Ｚは、発信要求を受け付けることができる状態であれば、発信要求受付メッセージを主装置１２Ｂに返す。
【０１１２】
また、着信端末Ｚは、当該着信端末Ｚのメディア待ち受け用ＩＰアドレスとポート番号の情報およびメディア種別情報を含む応答メッセージを主装置１２Ｂに返す。主装置１２Ｂは、受信した着信端末Ｚのメディア待ち受け用ＩＰアドレスとポート番号の情報およびメディア種別情報を含むメディア情報設定を、メディアスイッチ１５Ｂに送る。メディアスイッチ１５Ｂは、このメディア情報設定を受信することにより、着信端末Ｚの音声データの待ち受け用アドレス情報を知り、それを記憶する。
【０１１３】
メディア情報設定をメディアスイッチ１５Ｂに送信した主装置１２Ｂは、メディアスイッチ１５Ｂのメディア待ち受け用ＩＰアドレスとポート番号の情報およびメディア種別情報を含む応答メッセージを、ルーター１４Ｂおよび１４Ａを通じて、ＶｏＩＰ電話システム１Ａの主装置１２Ａに転送する。
【０１１４】
この応答メッセージを受信した主装置１２Ａは、受信したメディアスイッチ１５Ｂのメディア待ち受け用アドレス情報を含むメディア情報設定をメディアスイッチ１５Ａに送る。メディアスイッチ１５Ａは、このメディアスイッチ１５Ｂのメディア待ち受け用アドレス情報を、着信端末Ｚに対するメディア待ち受け用アドレス情報として記憶する。
【０１１５】
応答メッセージを受信した主装置１２Ａは、また、メディアスイッチ１５Ａから受信していた発信端末Ｘ用のメディアスイッチ１５Ａのメディア待ち受け用アドレス情報およびメディア種別情報を、発信端末Ｘに送る。発信端末Ｘは、この発信端末Ｘ用のメディアスイッチ１５Ａのメディア待ち受け用アドレス情報を、着信端末Ｚからの音声データパケットを受け取るためのアドレス情報として認識する。
【０１１６】
以上のようにして、呼制御メッセージの授受がなされることにより、メディアスイッチ１５Ａ，１５Ｂを通じて、発信端末Ｘと着信端末Ｚとの間で音声データパケットがやり取りされて、通話が行なわれる。
【０１１７】
すなわち、発信端末Ｘからは、呼制御メッセージの授受により主装置１２Ａから通知されたメディアスイッチ１５Ａの発信端末Ｘ用のメディア待ち受け用ＩＰアドレスおよびポート番号を宛先アドレスとして音声データパケットが送出される。したがって、この発信端末Ｘからの音声データパケットは、メディアスイッチ１５Ａで受信される。
【０１１８】
この音声データパケットを受信したメディアスイッチ１５Ａは、宛先アドレスを、メディアスイッチ１５Ｂのメディアスイッチ１５Ａ用のメディア待ち受け用ＩＰアドレスとポート番号の情報に変換してルーター１４Ａを通じてＩＰネットワーク２に送出する。したがって、このメディアスイッチ１５Ａからの音声データパケットは、ＶｏＩＰ電話システム１Ｂのルーター１４Ｂを通じてメディアスイッチ１５Ｂで受信される。
【０１１９】
メディアスイッチ１５Ｂは、受け取った音声データパケットの宛先アドレスを、着信端末Ｚのメディア待ち受け用ＩＰアドレスとポート番号の情報に変換して送出する。したがって、着信端末Ｚに当該音声データパケットが到達する。
【０１２０】
逆に、着信端末Ｚからは、呼制御メッセージの授受により主装置１２Ｂから通知されたメディアスイッチ１５Ｂの着信端末Ｚ用のメディア待ち受け用ＩＰアドレスおよびポート番号を宛先アドレスとして音声データパケットが送出される。したがって、この着信端末Ｚからの音声データパケットは、メディアスイッチ１５Ｂで受信される。
【０１２１】
この音声データパケットを受信したメディアスイッチ１５Ｂは、宛先アドレスを、メディアスイッチ１５Ａのメディアスイッチ１５Ｂ用のメディア待ち受け用ＩＰアドレスとポート番号に変換してルーター１４Ｂを通じてＩＰネットワーク２に送出する。したがって、このメディアスイッチ１５Ｂからの音声データパケットは、ＶｏＩＰ電話システム１Ａのルーター１４Ａを通じてメディアスイッチ１５Ａで受信される。
【０１２２】
メディアスイッチ１５Ａは、受け取った音声データパケットの宛先アドレスを、発信端末Ｘのメディア待ち受け用アドレス情報に変換して送出する。したがって、発信端末Ｘに当該音声データパケットが到達する。
【０１２３】
以上の発信端末Ｘからの着信端末Ｚへの発信から、通話路形成までにおける呼制御メッセージと、その経路および通話路の状態を図１１に示す。この図１１においても、二重線の矢印は、音声通路を示し、点線はユニキャストパケットによるローカルなメッセージの伝送路を示し、実線矢印は、制御系メッセージの伝送路を示している。
【０１２４】
［一斉音声呼び出し機能の説明］
以上のようにメディアスイッチを設けたことにより、この実施形態では、ＶｏＩＰ用電話端末に一斉音声呼び出し機能を設けなくても、一斉音声呼び出し（以下、一斉音声呼び出しをページングと称する）機能を実現できる。以下、その処理動作について説明する。
【０１２５】
図１２は、ページングが一つのＶｏＩＰ電話システム内のグループでのみ行なわれる場合（以下、システム内ページングと称する）のシーケンス例を示す図である。また、図１３〜図１５は、ページングが一つのＶｏＩＰ電話システム内のみならず、他のＶｏＩＰ電話システムのグループにも渡って行なわれる場合（システム間ページングと称する）のシーケンス例を示す図である。
【０１２６】
そして、図１６および図１７は、ページング処理の際の主装置１２Ａあるいは１２Ｂの処理を説明するためのフローチャートである。また、図１８および図１９は、ページング処理の際のメディアスイッチ１５Ａあるいは１５Ｂの処理を説明するためのフローチャートである。
【０１２７】
［１］システム内ページングの処理
図１２の例は、ＶｏＩＰ電話システム１Ａにおいて、３個の電話端末Ａ，Ｂ，Ｃがページングのグループを構成しており、このページングのグループを指定したページング特番への発信が、端末Ａからなされた場合である。
【０１２８】
すなわち、図１２に示すように、先ず、電話端末Ａから３個の電話端末Ａ，Ｂ，Ｃのグループを指定するページング特番への発信メッセージが主装置１２Ａに対して送られる。
【０１２９】
主装置１２Ａは、このページング特番への発信メッセージを受け取ると（図１６のステップＳ１２１）、ページングサービスを起動し、発信端末Ａに発信受付メッセージを返す（ステップＳ１２２）。そして、主装置１２Ａは、ページング特番により指定されるグループが、当該ＶｏＩＰ電話システム１Ａ内のみでなく、ルーター１４Ａを超える他のＶｏＩＰ電話システムのグループを含むものであるかどうかを判別する（ステップＳ１２３）。
【０１３０】
ステップＳ１２３において、ページング特番により指定されるグループが、当該ＶｏＩＰ電話システム１Ａ内のみであると判別したときには、主装置１２Ａは、自システム１Ａ内のメディアスイッチ１５Ａ（図のフローチャートにおける自メディアスイッチが対応）に、ページングのメディア情報設定取得要求を送る。この場合には、システム内ページングのメディア情報設定取得要求を送る（ステップＳ１２４）。このメディア情報設定取得要求には、発信端末Ａのメディア待ち受け用ＩＰアドレスとポート番号の情報、メディア種別の情報を含む。
【０１３１】
メディアスイッチ１５Ａは、この主装置１２Ａからのメディア情報設定取得要求を受け取ると（図１８のステップＳ２２１）、当該メディア情報設定取得要求に含まれる発信端末Ａのメディア待ち受け用ＩＰアドレスとポート番号の情報、メディア種別の情報を取得して記憶する（ステップＳ２２２）。
【０１３２】
そして、ページング特番により示されるグループは、ルーターを超えるグループを含むかどうかを、メディア情報設定取得要求がシステム内ページングのものか、システム間ページングのものかにより判別する（ステップＳ２２３）。そして、この場合には、このステップＳ２２３では、メディア情報設定取得要求がシステム内ページングのものであることから、ステップＳ２２４に進み、メディアスイッチ１５Ａは、システム内ページングのメディア取得情報を主装置１２Ａに返す。このメディア取得情報には、発信要求側、すなわち、この例では、発信端末Ａ用のメディアスイッチ１５Ａのメディア待ち受け用ＩＰアドレスとポート番号の情報およびメディア種別と、メディアスイッチ１５Ａが送信する送信元マルチキャストアドレス情報とが含まれる。
【０１３３】
主装置１２Ａでは、メディアスイッチ１５Ａからのこのシステム内ページングのメディア取得情報を受信し（図１６のステップＳ１２５）、それに含まれる前記発信端末Ａ用のメディアスイッチ１５Ａのメディア待ち受け用ＩＰアドレスおよびポート番号の情報、メディア種別情報を含めたページング応答メッセージを発信端末Ａに送る（ステップＳ１２６）。これにより、発信端末Ａは、ページングのために発信する音声データパケットの宛先としてメディアスイッチ１５Ａのメディア待ち受け用ＩＰアドレスおよびポート番号の情報を用いるように認識する。
【０１３４】
次に、主装置１２Ａは、メディア取得情報に含まれるメディアスイッチ１５Ａが送信する送信元マルチキャストアドレス情報を含むページング開始要求を、ページング特番により指定されるグループの各端末Ａ，Ｂ，Ｃに対してマルチキャストパケットによって送る（ステップＳ１２７）。この場合のマルチキャストパケットの宛先アドレスは、ページング特番のそれぞれに対応して予め定められているものであり、それぞれのグループの端末のみが当該マルチキャストパケットを取得することができる。
【０１３５】
このページング開始要求を受け取ることにより、ページング特番により指定されるグループの各端末Ａ，Ｂ，Ｃは、一斉音声呼び出しにより送られてくるマルチキャストパケットの送信先アドレス情報を知り、当該送信先アドレス情報（宛先アドレス情報）のマルチキャストパケットを受信取得することができる。そして、各端末Ａ，Ｂ，Ｃでは、一斉音声呼び出しの音声データパケットを受けて、その音声をスピーカから放音するように準備を行なう。
【０１３６】
そして、発信端末Ａは、一斉音声呼び出しの音声データをユニキャストパケットによりメディアスイッチ１５Ａに対して送る。メディアスイッチ１５Ａは、その発信端末Ａからのユニキャストパケットの音声データの受信を判別すると（図１８のステップＳ２２５）、当該受信した音声データのユニキャストパケットを、ステップＳ２２４で通知した送信先アドレス情報を含むマルチキャストパケットに変更して、ＬＡＮ１１Ａに送出する。
【０１３７】
端末Ａ，Ｂ，Ｃは、前記送信先アドレス情報を確認して、前記マルチキャストパケットの一斉音声呼び出しの音声データを受信し、スピーカにより放音する。これにより、一斉音声呼び出しが行なわれる。
【０１３８】
そして、主装置１２Ａは、例えば発信端末Ａからこの一斉音声呼び出しの終了要求を受け取ると（ステップＳ１２８）、メディアスイッチ１５Ａにそれに基づく要求をするなど、必要な終了処理をして（ステップＳ１２９）、当該処理ルーチンを終了する。メディアスイッチ１５Ａは、当該ページング処理終了のための要求を主装置１２Ａから受け取ると（ステップＳ２２７）、必要な終了処理をして（ステップＳ２２８）、当該処理ルーチンを終了する。
【０１３９】
上述のようにして、この実施形態においては、メディアスイッチを用いるとともに、マルチキャストパケットを用いることで、システム内ページング処理ができる。次に、一つのＶｏＩＰ電話システムを超えて、他のＶｏＩＰ電話システムの電話端末をも含めたページングについて説明する。
【０１４０】
［２］システム間ページングの処理
ところで、ルーターは、ユニキャストパケットは、これを通じて他のＶｏＩＰ電話システムに送出するようにするが、マルチキャストパケットは、ルーターを伝送することはできない。
【０１４１】
上述したように、ページング開始要求およびページングの音声データは、マルチキャストパケットにより伝送されるため、このままでは、システム間ページングは実現できない。そこで、この実施形態では、システム間では、マルチキャストパケットではなく、ユニキャストパケットを用いることにより、システム間ページングを実現する。
【０１４２】
システム間ページングの処理について、図１３〜図１５のシーケンス図の例を参照しながら説明する。この図１３〜図１５の例においては、ページング特番により指定されるグループが、ＶｏＩＰ電話システム１Ａの端末Ａ，Ｂ，Ｃからなるグループと、ＶｏＩＰ電話システム１Ｂの端末Ｄ，Ｅからなるグループである場合である。この図１３〜図１５は、図面サイズの都合上、３図に分けたもので、図１３および図１４は、ＶｏＩＰ電話システム１Ａ側での処理シーケンスを示し、図１５は、ＶｏＩＰ電話システム１Ｂ側での処理シーケンスを示している。
【０１４３】
この場合には、主装置１２Ａは、ステップＳ１２３でページング特番を解析した結果、ページング特番で指定されるグループは、自ＶｏＩＰ電話システム１Ａ内のグループのみでなく、ルーター１４Ａを超える他のＶｏＩＰ電話システム１Ｂのグループを含むものであるシステム間ページングであると判別するので、主装置１２Ａは、メディアスイッチ１５Ａに対して、システム間ページングのメディア情報設定取得要求を送る（図１７のステップＳ１３１）。
【０１４４】
このメディア情報設定取得要求には、発信端末Ａのメディア待ち受け用ＩＰアドレスとポート番号の情報、メディア種別の情報を含むのは、前述のシステム内ページングの場合と同様である。
【０１４５】
メディアスイッチ１５Ａは、この主装置１２Ａからのシステム間ページングのメディア情報設定取得要求を受け取ると（図１８のステップＳ２２１）、当該メディア情報設定取得要求に含まれる発信端末Ａのメディア待ち受け用ＩＰアドレスとポート番号の情報、メディア種別の情報を取得して記憶する（ステップＳ２２２）。
【０１４６】
そして、メディアスイッチ１５Ａは、ページング特番により示されるグループは、ルーターを超えるグループを含むかどうかを、メディア情報設定取得要求がシステム内ページングのものか、システム間ページングのものかにより判別し（ステップＳ２２３）、メディア情報設定取得要求がシステム間ページングのものであることから、図１９のステップＳ２３１に進み、メディアスイッチ１５Ａは、システム間ページングのメディア取得情報を主装置１２Ａに返す。
【０１４７】
このシステム間ページングのメディア取得情報には、発信要求側、すなわち、この例では、発信端末Ａ用のメディアスイッチ１５Ａのメディア待ち受け用ＩＰアドレスとポート番号の情報およびメディア種別と、メディアスイッチ１５Ａが送信する送信元マルチキャストアドレス情報と、他のＶｏＩＰ電話システム、この例では、ＶｏＩＰ電話システム１Ｂのメディアスイッチ１５Ｂ用の、自メディアスイッチ１５Ａのメディア待ち受け用アドレス情報およびメディア種別が含まれる。
【０１４８】
主装置１２Ａでは、メディアスイッチ１５Ａからのこのシステム間ページングのメディア取得情報を受信する（図１７のステップＳ１３２）。
【０１４９】
また、主装置１２Ａは、発信端末Ａからのページング特番により指定されるＶｏＩＰ電話システム１Ｂ内のグループを指定するページング特番により、ルーター１４Ａおよび１４Ｂを通じて、ページング特番発信をＶｏＩＰ電話システム１Ｂの主装置１２Ｂに送る（ステップＳ１３３）。
【０１５０】
ＶｏＩＰ電話システム１Ｂの主装置１２Ｂは、この主装置１Ａからのページング特番発信を、自システム１Ｂ内のグループのみを指定するページング特番発信要求として受信する。したがって、主装置１２Ｂは、図１６のステップＳ１２１でページング特番発信要求を受信したのと同様の動作をその後行なう。
【０１５１】
すなわち、図１５のシーケンス図に示すように、主装置１２Ｂは、主装置１２Ａからの当該ページング特番への発信メッセージを、ルーター１４Ａおよび１４Ｂを通じて受け取ると、ページングサービスを起動し、発信要求側である主装置１２Ａに発信受付メッセージを返す。主装置１２Ａは、この主装置１２Ｂからの発信受付メッセージをルーター１４Ｂおよび１４Ａを通じて受信する（図１７のステップＳ１３４）。
【０１５２】
そして、主装置１２Ｂは、ページング特番により指定されるグループが、当該ＶｏＩＰ電話システム１Ｂ内のグループのみであるときには、システム内ページングのメディア情報設定取得要求をメディアスイッチ１５Ｂに送る。このメディア情報設定取得要求には、この場合、発信要求側としてのシステム１Ａのメディアスイッチ１５Ａのメディア待ち受け用アドレス情報とメディア種別の情報を含む。
【０１５３】
このメディア情報設定取得要求を受けたメディアスイッチ１５Ｂは、メディア取得情報を主装置１２Ｂに返す。このときのメディア取得情報には、発信要求側用の、すなわち、この例では、メディアスイッチ１５Ａ用のメディアスイッチ１５Ｂのメディア待ち受け用アドレス情報と、メディアスイッチ１５Ｂが送信する送信先マルチキャストアドレス情報とが含まれ、これらが主装置１２Ｂに通知される。
【０１５４】
主装置１２Ｂは、このメディア取得情報を受信すると、取得したメディアスイッチ１５Ａ用のメディアスイッチ１５Ｂのメディア待ち受け用アドレス情報およびメディア種別を含む応答を、主装置１２Ａに送るので、主装置１２Ａは、この応答をルーター１４Ｂおよび１４Ａを通じて受信する（ステップＳ１３５）。
【０１５５】
そして、この主装置１２Ｂからの応答を受信した主装置１２Ａは、自メディアスイッチ１５Ａにメディア情報設定を送る。このメディア情報設定には、メディアスイッチ１５Ａ用のメディアスイッチ１５Ｂのメディア待ち受け用アドレス情報が含まれる（ステップＳ１３６）。
【０１５６】
メディアスイッチ１５Ａは、このメディア情報設定を受信したと判別したときには（図１９のステップＳ２３２）、他のシステム１Ｂのメディアスイッチ１５Ｂのメディア待ち受け用アドレス情報を取得して記憶する（ステップＳ２３３）。メディアスイッチ１５Ａは、これにより、システム間でやり取りする際のメディアスイッチ１５Ｂのメディア待ち受け用アドレス情報を取得する。
【０１５７】
次に、主装置１２Ｂからの応答を受信した主装置１２Ａは、また、発信要求側、すなわち、発信端末Ａに、ステップＳ１３２でメディア取得情報に含んで受信した自メディアスイッチ１５Ａのメディア待ち受け用アドレス情報およびメディア種別を含む応答を転送する（ステップＳ１３７）。
【０１５８】
発信端末Ａは、この応答を受けて、ページング発信する音声データの宛先アドレスとして、メディアスイッチ１５Ａのメディア待ち受け用アドレス情報を認識する。
【０１５９】
そして、主装置１２Ａは、ページング特番により指定された自システム１Ａ内の、端末Ａ，Ｂ，Ｃからなるグループを指定するアドレス情報を送信先アドレスとするマルチキャストパケットにより、ページング開始要求をＬＡＮ１１Ａに送出する（ステップＳ１３８）。このページング開始要求には、ステップＳ１３２でメディアスイッチ１５Ａから受信した、メディアスイッチ１５Ａが送信する送信先のマルチキャストアドレス情報が含まれる。
【０１６０】
端末Ａ，Ｂ，Ｃは、このページング開始要求のマルチキャストパケットを自分宛てのパケットとして受信し、当該ページング開始要求に含まれる送信先のマルチキャストアドレス情報を有するマルチキャストパケットをページングのパケットとして受信する状態になる。そして、その後、送られてくるページングの音声をスピーカから放音する準備をする。
【０１６１】
このとき、このページング開始要求のマルチキャストパケットは、ルーター１４Ａを超えて他のＶｏＩＰ電話システムへは伝送されない。そのため、主装置１２Ａは、ＶｏＩＰ電話システム１Ｂの主装置１２Ｂに宛てて、ユニキャストパケットにより、同様にメディアスイッチ１５Ａが送信する送信先のマルチキャストアドレス情報を含むページング開始要求を、ルーター１４Ａおよびルーター１４Ｂを通じて送る（ステップＳ１３８）。
【０１６２】
ＶｏＩＰ電話システム１Ｂの主装置１２Ｂは、この主装置１２Ａからのユニキャストパケットによるページング開始要求を受信すると、ページング特番により指定されたシステム１Ｂ内の、端末Ｄ，Ｅからなるグループを指定するアドレス情報を送信先アドレスとするマルチキャストパケットにより、ページング開始要求をＬＡＮ１１Ｂに送出する。このページング開始要求には、メディアスイッチ１２Ｂが送信する送信先マルチキャストアドレス情報を含む。
【０１６３】
端末Ｄ，Ｅは、このページング開始要求のマルチキャストパケットを自分宛てのパケットとして受信し、当該ページング開始要求に含まれる送信先のマルチキャストアドレス情報を有するマルチキャストパケットをページングのパケットとして受信する状態になる。そして、その後送られてくるページングの音声をスピーカから放音する準備をする。
【０１６４】
以上の状態において、発信端末Ａから、ページングの音声データのユニキャストパケットが、宛先をメディアスイッチ１５Ａの前記メディア待ち受け用アドレス情報として発信される。
【０１６５】
すると、メディアスイッチ１５Ａは、受信した音声データのパケットを、前述のようにして、自システム内のグループの端末Ａ，Ｂ，Ｃに対して通知した送信先マルチキャストアドレス情報を宛先アドレス情報とするマルチキャストパケットに変換して、ＬＡＮ１１Ａに送出する（ステップＳ２３５）。
【０１６６】
したがって、端末Ａ，Ｂ，Ｃは、このページング音声データのマルチキャストパケットを自分宛てのパケットとして受信し、それぞれのスピーカにより放音する。
【０１６７】
しかし、マルチキャストパケットは、ルーター１４Ａを超えては伝送されないので、このページング音声データのマルチキャストパケットは、ＶｏＩＰ電話システム１Ｂ側には送られない。そこで、メディアスイッチ１５Ａは、発信端末Ａから受け取った音声データパケットを、ルーター１４Ａ，１４Ｂを介して伝送可能なユニキャストパケットにより、システム１Ｂのメディアスイッチ１５Ｂに宛てて送信する（ステップＳ２３５）。
【０１６８】
システム１Ｂのメディアスイッチ１５Ｂは、発信要求側からの、このユニキャストパケットを受信すると（前述の図１８のステップＳ２２５参照）、受信した音声データのパケットを、当該システム１Ｂ内のグループの端末Ｄ，Ｅに対して通知した送信先マルチキャストアドレス情報を宛先アドレス情報とするマルチキャストパケットに変換して、ＬＡＮ１１Ｂに送出する（図１８のステップＳ２２６参照）。
【０１６９】
したがって、端末Ｄ，Ｅは、このページング音声データのマルチキャストパケットを自分宛てのパケットとして受信し、それぞれのスピーカにより放音する。以上のようにして、システム間ページングが行なわれる。
【０１７０】
そして、主装置１２Ａは、例えば発信端末Ａからこの一斉音声呼び出しの終了要求を受け取ると（ステップＳ１３９）、メディアスイッチ１５Ａにそれに基づく要求をするとともに、主装置１２Ｂに終了要求を転送するなど、必要な終了処理をして（ステップＳ１４０）、当該処理ルーチンを終了する。
【０１７１】
メディアスイッチ１５Ａは、当該ページング処理終了のための要求を主装置１２Ａから受け取ると（ステップＳ２２７）、必要な終了処理をして（ステップＳ２２８）、当該処理ルーチンを終了する。
【０１７２】
また、終了要求を受信した主装置１２Ｂは、主装置１２Ａと同様にして、メディアスイッチ１５Ｂに、それに基づく要求をするなど、必要な終了処理をして、当該処理ルーチンを終了する。また、メディアスイッチ１５Ｂにおいても、当該ページング処理終了のための要求を主装置１２Ｂから受け取ると、必要な終了処理をして、当該処理ルーチンを終了する。
【０１７３】
上述のようにして、この実施形態においては、メディアスイッチを用いるとともに、マルチキャストパケットを用いることで、システム内ページング処理ができる。
【０１７４】
［他の実施形態］
上述の実施形態においては、主装置とメディアスイッチとは、別個に設けるようにしたが、主装置内にメディアスイッチの機能部を設けるようにしても良い。すなわち、その場合には、主装置内には、主装置の主たる機能である呼に関連する制御系メッセージを授受し、ＶｏＩＰ用電話端末間およびＶｏＩＰ電話システム間の通信を制御する通信制御手段と、音声データ伝送中継手段としてのメディアスイッチの音声データパケットアドレス変換部の機能とが、少なくとも設けられるものである。
【０１７５】
なお、上述の実施形態の説明では、ページングのグループは、複数個のＶｏＩＰ用電話端末から構成されるようにしたが、一つのＶｏＩＰ用電話端末によりグループが構成されていてもよい。また、ページング特番により指定されるグループの数は、一つに限らず、複数のグループであっても良い。上述のシステム間ページングは、２つのグループが指定される場合の一例である。
【０１７６】
【発明の効果】
以上説明したように、この発明によれば、音声データ伝送中継手段を設けて、この音声データ伝送中継手段を介して音声データのやり取りをすることにより、各ＶｏＩＰ用電話端末に一斉音声呼び出しの付加機能を設けなくても、当該一斉音声呼び出しの付加機能を実現することができる。
【０１７７】
また、この発明によれば、ＶｏＩＰ電話システム間では、ユニキャストパケットで伝送することにより、ＶｏＩＰ電話システム間においても一斉音声呼び出しの機能を実現することができる。
【図面の簡単な説明】
【図１】この発明によるＶｏＩＰ電話システムの実施形態の構成例を説明するための図である。
【図２】実施形態に用いるＶｏＩＰ用電話端末の構成例を示す図である。
【図３】実施形態に用いる主装置の構成例を示す図である。
【図４】実施形態に用いる音声データ伝送路制御手段（メディアスイッチ）の構成例を示す図である。
【図５】実施形態のＶｏＩＰ電話システムにおいて、発信から通話路生成までのシーケンスを説明するための図である。
【図６】実施形態のＶｏＩＰ電話システムの主装置の処理動作を説明するためのフローチャートである。
【図７】実施形態のＶｏＩＰ電話システムのメディアスイッチの処理動作を説明するためのフローチャートである。
【図８】実施形態のＶｏＩＰ電話システムにおいて、通話路およびその生成用の制御メッセージの伝送路を説明するための図である。
【図９】実施形態のＶｏＩＰ電話システムを用いて、他のＶｏＩＰ電話システム内の電話端末に発呼して通話する際のシーケンスの一部を説明するための図である。
【図１０】実施形態のＶｏＩＰ電話システムを用いて、他のＶｏＩＰ電話システム内の電話端末に発呼して通話する際のシーケンスの一部を説明するための図である。
【図１１】実施形態のＶｏＩＰ電話システムを用いて、他のＶｏＩＰ電話システム内の電話端末との通話を行なうときの通話路および制御メッセージの伝送路を説明するための図である。
【図１２】実施形態のＶｏＩＰ電話システムを用いて、システム内一斉音声呼び出しを行なう場合のシーケンスを説明するための図である。
【図１３】実施形態のＶｏＩＰ電話システムを用いて、システム内一斉音声呼び出しを行なう場合のシーケンスの一部を説明するための図である。
【図１４】実施形態のＶｏＩＰ電話システムを用いて、システム内一斉音声呼び出しを行なう場合のシーケンスの一部を説明するための図である。
【図１５】実施形態のＶｏＩＰ電話システムを用いて、システム内一斉音声呼び出しを行なう場合のシーケンスの一部を説明するための図である。
【図１６】実施形態のＶｏＩＰ電話システムにおける主装置の、一斉音声呼び出しの処理動作を説明するためのフローチャートの一部である。
【図１７】実施形態のＶｏＩＰ電話システムにおける主装置の、一斉音声呼び出しの処理動作を説明するためのフローチャートの一部である。
【図１８】実施形態のＶｏＩＰ電話システムにおけるメディアスイッチの、一斉音声呼び出しの処理動作を説明するためのフローチャートの一部である。
【図１９】実施形態のＶｏＩＰ電話システムにおけるメディアスイッチの、一斉音声呼び出しの処理動作を説明するためのフローチャートの一部である。
【図２０】ＶｏＩＰ電話システムとして考えられる構成を示す図である。
【図２１】図２４のＶｏＩＰ電話システムを用いて通話を行なう場合の通話路および制御メッセージの伝送路を説明するための図である。
【図２２】図２４のＶｏＩＰ電話システムを用いて通話を行なう場合のシーケンス例を示す図である。
【図２３】図２４のＶｏＩＰ電話システムを用いて、他のＶｏＩＰ電話システム内の電話端末との通話を行なうときの通話路および制御メッセージの伝送路を説明するための図である。
【符号の説明】
１Ａ，１Ｂ  ＶｏＩＰ電話システム
１１Ａ，１１Ｂ  ＬＡＮ（ＩＰネットワーク）
１２Ａ，１２Ｂ  主装置
１３Ａ１〜１３Ａｎ、１３Ｂ１〜１３Ｂｍ  ＶｏＩＰ用電話端末
１４Ａ，１４Ｂ  ルーター
１５Ａ，１５Ｂ  メディアスイッチ（音声データ伝送中継手段）
【図１】
2004320290.tif 000003
【図２】
2004320290.tif 000004
【図３】
2004320290.tif 000005
【図４】
2004320290.tif 000006
【図５】
2004320290.tif 000007
【図６】
2004320290.tif 000008
【図７】
2004320290.tif 000009
【図８】
2004320290.tif 000010
【図９】
2004320290.tif 000011
【図１０】
2004320290.tif 000012
【図１１】
2004320290.tif 000013
【図１２】
2004320290.tif 000014
【図１３】
2004320290.tif 000015
【図１４】
2004320290.tif 000016
【図１５】
2004320290.tif 000017
【図１６】
2004320290.tif 000018
【図１７】
2004320290.tif 000019
【図１８】
2004320290.tif 000020
【図１９】
2004320290.tif 000021
【図２０】
2004320290.tif 000022
【図２１】
2004320290.tif 000023
【図２２】
2004320290.tif 000024
【図２３】
2004320290.tif 000025